(57)【特許請求の範囲】
【請求項１】
商品通路に突出した制止位置と前記商品通路から退避した退避位置との間で進退自在とされた補助ストッパ及び主ストッパを上下に配設し、前記補助ストッパを前記制止位置としたときに前記主ストッパは前記退避位置とし、前記補助ストッパが前記退避位置とされたときには前記主ストッパを前記制止位置として、前記商品通路内の最下位の商品を搬出する商品搬出装置を備えた自動販売機において、
前記商品搬出装置に対向する位置の前記商品通路に設けられた切換装置を備え、この切換装置は、上部可動板と下部可動板から成り、この下部可動板の上下移動により、前記上部可動板が下部可動板よりも前記商品搬出装置側に突出した状態と、上部可動板が下部可動板と面一となる状態とに切換自在とされていることを特徴とする自動販売機。
【請求項２】
下部可動板が上方に移動された状態を保持する保持手段を備えたことを特徴とする請求項１の自動販売機。
【請求項３】
上部可動板は、商品通路の壁面に上端を回動可能に設けられた第一可動板と、この第一可動板の下端に回動自在に連結された第二可動板とから構成されると共に、下部可動板は上部に押圧部を備え、上方に移動された状態で前記押圧部により前記上部可動板を裏側から商品搬出装置方向に押し出し、下方に移動された状態では、前記押圧部は前記上部可動板裏側に格納され、その状態で上部可動板と下部可動板とは面一となることを特徴とする請求項１又は請求項２の自動販売機。
【発明の詳細な説明】
【０００１】
【発明の属する技術分野】
本発明は、飲料等の商品を一個ずつ搬出して販売する商品搬出装置を備えた自動販売機に関するものである。
【０００２】
【従来の技術】
従来よりこの種自動販売機は、例えば特開昭６４−７６１９３号公報（Ｇ０７Ｆ１１／２４）に商品払出装置として記載される如き商品搬出装置を備えている。この種商品搬出装置は、商品通路の一方の通路壁に、商品通路に突出した制止位置と商品通路から退避した退避位置との間で進退自在とされた補助ストッパ（上堰板と称されている）及び主ストッパ（下堰板と称されている）を上下に配設し、ソレノイドによって補助ストッパを制止位置としたときには主ストッパは退避位置とし、補助ストッパが退避位置とされたときには主ストッパを制止位置として、商品通路内の最下位の商品を一個ずつ搬出する構成とされていた。
【０００３】
次ぎに、図６乃至図９を参照しながら係る商品搬出装置１０５による缶飲料などの円柱状の商品Ｃ１、Ｃ２の搬出動作を説明する。各図において商品搬出装置１０５は、内部に商品通路１０４を構成する商品ラックのケース１０２下端部に取り付けられたシャーシ１１１と、このシャーシ１１１に回動自在に取り付けられた補助ストッパ１１２及び主ストッパ１１３と、両ストッパ１１２、１１３を回動させる図示しない作動機構と、これも図示しないソレノイドなどから構成されている。
【０００４】
そして、販売指令に基づき、前記ソレノイドが励磁及び消磁されると、作動機構を介して補助ストッパ１１２及び主ストッパ１１３がそれぞれ所定のタイミングで商品通路１０４側に回動し、商品通路１０４内の商品が、最下位のものから順次一個ずつ下方に排出される。
【０００５】
即ち、補助ストッパ１１２が退避位置にあり、且つ、主ストッパ１１３が制止位置にロックされた待機状態（図６）から、販売指令によりソレノイドが励磁されると、先ず、補助ストッパ１１２が退避位置から制止位置に回動される。これによって、下から二番目の商品Ｃ２はこの補助ストッパ１１２にて保持される。その後、主ストッパ１１３のロックが解除されて自由に回動可能となり、最下位の商品Ｃ１の重みで主ストッパ１１３は制止位置から退避位置に回動される。これによって、商品Ｃ１が一個販売される（図７）。
【０００６】
ソレノイドは所定の短期間（１００ｍｓ〜１２０ｍｓ）励磁された後、消磁されるので、補助ストッパ１１２は制止位置から退避位置に回動される。これに伴い、前記直上の商品Ｃ２が下方に落下する（図８）。また、補助ストッパ１１２が退避すると同時に、主ストッパ１１３が退避位置から制止位置に回動される。これによって、前記直上の商品Ｃ２は主ストッパ１１３に受けとめられるものであった（図９）。
【０００７】
【発明が解決しようとする課題】
このように、商品搬出装置１０５は最下位商品Ｃ１を搬出させるとき、補助ストッパ１１２が当該最下位商品Ｃ１とその直上の商品Ｃ２との間に突出できなければ当該直上の商品Ｃ２を保持することができない。このとき、前述の缶飲料や従来のボトル飲料の如く円柱状の商品の場合は、上下の商品の円弧が対向する部分に充分な隙間（補助ストッパが制止位置に突出できる空間。図６にＧで示す。）ができるため、ストッパ部分の商品通路の幅寸法が当該商品の寸法に適合している限り、搬出に何ら問題は生じない。
【０００８】
しかしながら、近年では四角柱状の外形を呈した所謂角ボトル飲料が販売されるようになって来た。係る角ボトル商品Ｂ１、Ｂ２を上記商品搬出装置１０５にて搬出しようとすると、図１０に示す如く商品通路１０４の幅が商品Ｂ１、Ｂ２の幅寸法より大きい場合は、最下位の商品Ｂ１を主ストッパ１１３が保持した状態で、補助ストッパ１１２が制止位置に回動しても補助ストッパ１１２が商品Ｂ２に届かず、当該商品Ｂ２の落下を阻止できない。
【０００９】
そこで、図１１に示す如き一定の幅寸法を備えたスペーサ１１６を商品搬出装置１０５と対向するケース１０２の内面１０２Ａに取り付け、商品通路１０４の幅を商品Ｂ１、Ｂ２の幅と略合致させると、今度は主ストッパ１１３にて最下位商品Ｂ１を保持している状態で、その直上の商品Ｂ２との間には殆ど隙間ができない。ここで、商品Ｂ１、Ｂ２の角部は平面（或いは曲面）にて面取りされているが、前述の如き円柱状の商品Ｃ１、Ｃ２に比較すれば隙間は殆ど無いに等しい。
【００１０】
従って、補助ストッパ１１２が充分に突出できなくなり、最下位商品Ｂ１を落下させる以前に直上の商品Ｂ２を保持できなくなって、この場合も結果的には二本同時に落下してしまう不都合が生じる問題があった。
【００１１】
本発明は、係る従来の技術的課題を解決するために成されたものであり、円柱状の商品に加えて、角形状の商品も円滑に搬出することができる自動販売機を提供することを目的とする。
【００１２】
【課題を解決するための手段】
本発明の自動販売機は、商品通路に突出した制止位置と前記商品通路から退避した退避位置との間で進退自在とされた補助ストッパ及び主ストッパを上下に配設し、補助ストッパを制止位置としたときに主ストッパは退避位置とし、補助ストッパが退避位置とされたときには主ストッパを制止位置として、商品通路内の最下位の商品を搬出する商品搬出装置を備えたものであって、商品搬出装置に対向する位置の商品通路に設けられた切換装置を備え、この切換装置は、上部可動板と下部可動板から成り、この下部可動板の上下移動により、上部可動板が下部可動板よりも商品搬出装置側に突出した状態と、上部可動板が下部可動板と面一となる状態とに切換自在とされているものである。
【００１３】
本発明によれば、商品通路に突出した制止位置と商品通路から退避した退避位置との間で進退自在とされた補助ストッパ及び主ストッパを上下に配設し、補助ストッパを制止位置としたときに主ストッパは退避位置とし、補助ストッパが退避位置とされたときには主ストッパを制止位置として、商品通路内の最下位の商品を搬出する商品搬出装置を備えた自動販売機において、商品搬出装置に対向する位置の商品通路に切換装置を設け、この切換装置を、上部可動板と下部可動板から構成し、この下部可動板の上下移動により、上部可動板が下部可動板よりも商品搬出装置側に突出した状態と、上部可動板が下部可動板と面一となる状態とに切換自在としたので、下部可動板を下方に移動させて上部可動板と下部可動板を面一とした状態では、商品搬出装置に対向する壁面を通常の平坦面とし、下部可動板を上方に移動させて上部可動板を下部可動板よりも商品搬出装置側に突出させた状態では、商品搬出装置に対向する壁面を、上部よりも下部が後退した段差形状と成すことができる。
【００１４】
そして、係る状態では主ストッパに保持された最下位商品を、直上の商品よりも切換装置側に偏位させることができるので、前記直上の商品は最下位商品よりも商品搬出装置側に位置するかたちとなる。
【００１５】
従って、当該直上の商品下面は、商品搬出装置側において鉛直下方に露出するかたちとなるので、搬出する商品が角形状のものであっても、補助ストッパは直上の商品下方に突出して保持することができるようになる。これにより、商品が角形状であっても、円柱状であっても、当該商品の形状に拘わらず円滑に一個ずつ搬出し、販売することができるようになる。特に、切換装置の下部可動板を上下移動させるだけで済むので、操作性も良好となるものである。
【００１６】
請求項２の発明の自動販売機は、上記において下部可動板が上方に移動された状態を保持する保持手段を備えているものである。
【００１７】
請求項２の発明によれば、上記に加えて下部可動板が上方に移動された状態を保持する保持手段を設けたので、上部可動板が突出した状態を安定的に維持することができるようになり、販売動作をより安定化させることができるようになるものである。
【００１８】
請求項３の発明の自動販売機は、上記各発明において上部可動板は、商品通路の壁面に上端を回動可能に設けられた第一可動板と、この第一可動板の下端に回動自在に連結された第二可動板とから構成されると共に、下部可動板は上部に押圧部を備え、上方に移動された状態で押圧部により上部可動板を裏側から商品搬出装置方向に押し出し、下方に移動された状態では、押圧部は上部可動板裏側に格納され、その状態で上部可動板と下部可動板とは面一となるものである。
【００１９】
請求項３の発明によれば、上記各発明に加えて上部可動板を、商品通路の壁面に上端を回動可能に設けられた第一可動板と、この第一可動板の下端に回動自在に連結された第二可動板とから構成すると共に、下部可動板の上部に押圧部を設け、下部可動板を上方に移動させた状態で押圧部により上部可動板を裏側から商品搬出装置方向に押し出し、下方に移動させた状態では、押圧部を上部可動板裏側に格納し、その状態で上部可動板と下部可動板とを面一とするようにしたので、上部可動板を突出させた状態では第一可動板は上端から徐々に商品搬出装置側に傾斜することになる。
【００２０】
これにより、商品の下方への移動が円滑になると共に、上部可動板は下部可動板の押圧部により裏側から押し出されるので、その状態で上部可動板は押圧部により保持されることになる。従って、上方に積載された商品の荷重が上部可動板に加わっても、支障無く突出した状態を維持することができるようになるものである。
【００２１】
【発明の実施の形態】
以下、図面に基づき本発明の実施形態を詳述する。図１は本発明の自動販売機Ｖの縦断側面図、図２は自動販売機Ｖの商品搬出装置５部分の拡大側面図、図３は図２の状態の切換装置１５の正面図をそれぞれ示している。各図において、断熱箱体にて構成された本体２１内には商品収納庫２２が構成されており、この商品収納庫２２の前面は断熱扉２３にて開閉自在に閉塞されている。また、断熱扉２３の外側には回動自在の外扉２４が取り付けられており、この外扉２４の前面には図示しない商品見本や商品選択ボタンが設けられ、下部には商品販売口２６が形成されている。
【００２２】
また、商品収納庫２２内には複数の商品ラック１・・が吊下されており、その下方には商品シュート２７が前方に低く傾斜して設けられている。そして、この商品シュート２７の下端は断熱扉２３下部に形成された商品搬出口２８に連続しており、商品搬出口２８は前記商品販売口２６に連通し、且つ、常には搬出扉２９にて開閉自在に閉じられている。
【００２３】
一方、前記商品ラック１はケース２内に例えば二種類の商品を販売可能な二連の商品収納コラム３、３を前後に背中合わせに並設したものであり、各商品収納コラム３には前記円柱状の商品Ｃ１、Ｃ２・・若しくは角ボトル商品Ｂ１、Ｂ２・・の何れかが上下方向に多数収納される商品通路４が形成されているものとする。
【００２４】
商品ラック１の下部の前後には、一対の商品通路４、４の一方の通路壁をそれぞれ構成するよう、一対の商品搬出装置５、５が背中合わせに設けられており、各商品搬出装置５、５により各商品通路４、４内の商品が下方にそれぞれ落下排出されるように構成されている。
【００２５】
この商品搬出装置５は、ケース２の下端部に取り付けられたシャーシ１１と、このシャーシ１１に回動自在に取り付けられた補助ストッパ１２及び主ストッパ１３と、両ストッパ１２、１３を回動させる図示しない作動機構と、これも図示しないソレノイドなどから構成されている。
【００２６】
そして、販売指令に基づき、前記ソレノイドが励磁及び消磁されると、作動機構を介して補助ストッパ１２及び主ストッパ１３がそれぞれ所定のタイミングで商品通路４側に回動するように構成されている。
【００２７】
係る商品搬出装置５に対向する位置のケース２の内面（商品通路４の内壁面）には、切換装置１５が取り付けられている。この切換装置１５は、前記ケース２に固定されてそれと共に商品通路４の壁面を構成するベース板３１と、このベース３１の商品搬出装置５側に位置する上部可動板３２及び下部可動板３３と、左右の枠板３４、３６などから構成されている。
【００２８】
前記上部可動板３２は上側の第一可動板３７と下側の第二可動板３８とから成る。第一可動板３７の上端は裏側に折曲されて折曲部３９が構成され、この折曲部３９はベース板３１の上部に形成された係合孔４１に回動自在に係合されている。これによって、第一可動板３７は上端をベース板３１に回動可能に保持されている。
【００２９】
また、第一可動板３７の下縁と第二可動板３８の上下縁は裏側にカール成形されてカール部４２、４３とされ、第一可動板３７のカール部４２と第二可動板３８の上縁のカール部４３には連結シャフト４４を挿通することにより、第二可動板３８は第一可動板３７の下端に回動自在に連結されている。更に、第一可動板３７の裏側に対応するベース板３１には座押部４７が左右に渡って第一可動板３７側に突出形成されている。また、枠板３４、３６の上部間には上部シャフト４８が差し渡されており、この上部シャフト４８は第一可動板３７の裏側に位置してベース板３１の座押部４９と共に第一可動板３７を裏側より保持する。
【００３０】
一方、下部可動板３３上部の裏側に対応するベース板３１には座押部５１が左右に渡って下部可動板３３側に突出形成され、その下方には保持手段としての板バネ５２が下端の取付具５３にてベース板３１に取り付けられている。この板バネ５２は取付具５３から上方に延在し、その先端は座押部５１に対向すると共に、その部分には下部可動板３３側に湾曲した湾曲部５４が形成されている。
【００３１】
そして、座押部５１と取付具５３間の板バネ５２とベース板３１の間には、左右に可動シャフト５７が差し渡され、下部可動板３３に固定されており、この可動シャフト５７の両端は枠板３４、３６の切欠５８、５９に移動自在に挿入され、これによって、下部可動板３３は上下移動自在とされている。また、枠板３４、３６の下部間には下部シャフト６２が差し渡されており、この下部シャフト６２は下部可動板３３の裏側に位置して、取付具５３下側のベース板３１の座押部６３と共に下部可動板３３を裏側より保持する。
【００３２】
他方、下部可動板３３の上端には商品搬出装置５側に屈曲されて起立する押圧部６６が四カ所形成され、上下のカール部４３、４３間の第二可動板３８裏側に位置しており、下部可動板３３の略中央の可動シャフト５７に対応する位置にはベース３１側に窪んだ座押部６７、６７が二カ所形成され、下部には同じくベース板３１側に窪んだ座押部６８・・が三カ所形成されている。
【００３３】
また、各座押部６８・・の上部には更にベース板３１側に突出した保持手段を構成する突起部７１がそれぞれ形成されており、下部可動板３３の下端にもカール部７２が形成され、その中央にはリング把手７３が取り付けられている。
【００３４】
以上の構成で商品搬出装置５による商品搬出動作を説明する。先ず、前記円柱状の商品Ｃ１、Ｃ２・・が収納された商品通路４においては、切換装置１５の下部可動板３３をリング把手７３を持って図２、図３の如く下方に移動させて置く。この状態では各図に示す如く押圧部６６は上部可動板３７の第二可動板３８の裏側に格納され、可動シャフト５７は座押部５１と取付具５７間に位置すると共に、座押部６８も下部シャフト６２の下側に位置するので、上部可動板３２の第一可動板３７及び第二可動板３８は略面一となって垂下した状態となり、下部可動板３３と上部可動板３２も略面一となる。即ち、切換装置１５は商品搬出装置５に対向する位置に略平坦な面を構成する。
【００３５】
この状態では商品搬出装置５部分の商品通路４の幅は前記円柱状の商品Ｃ１、Ｃ２・・の直径より少許大きい寸法となり、図６〜図９の補助ストッパ１１２と主ストッパ１１３と同様の動作を補助ストッパ１２と主ストッパ１３が行うことにより、最下位の商品Ｃ１のみが一個販売されることになる。
【００３６】
次ぎに、角ボトル商品Ｂ１、Ｂ２・・が収納された商品通路４においては、切換装置１５の下部可動板３３を図４、図５の如く上方に移動させる。下部可動板３３が上方に移動した状態では、各図に示す如く押圧部６６が上部可動板３２の第一可動板３７のカール部４２の裏側まで上昇し、上部可動板３３を裏側から商品搬出装置５側に押し出しながらベース板３１の座押部４７に乗り上げる。
【００３７】
この状態では押圧部６６はカール部４２の裏側に当接し、更に下部可動板３３が第二可動板３８の下側のカール部４３の裏側に当接して保持する。そして、上部可動板３２の第一可動板３８は折曲部３９を中心として図４中反時計回りに回動され、その下部が商品搬出装置５側に移動すると共に、第二可動板３９は連結シャフト４４を中心して回動することにより、図２と同様垂下した状態のまま商品搬出装置５側に移動する。
【００３８】
また、下部可動板３３の座押部６８は下部シャフト６２に乗り上げ、可動シャフト５７は座押部５１に乗り上げるので、下部可動板３３は垂下状態のまま商品搬出装置５側に少許押し出された状態で下部シャフト６２と座押部５１により裏側から保持される。更に、突起部７１は下部シャフト６２の上側に係合すると共に、可動シャフト５７も下部可動板３３と共に上方に移動して座押部５１に乗り上げることで板バネ５２の湾曲部５４内に入り、係合するので下部可動板３３は降下できなくなり、切換装置１５は図４の状態を維持することになる。
【００３９】
この状態の切換装置１５は、下部可動板３３よりも上部可動板３２が所定寸法突出した形状を呈しており、上部可動板３２の第一可動板３７は上方程後退する傾斜面とされる。また、第二可動板３８は前記補助ストッパ１２の高さよりも少許上にあり、且つ、第二可動板３８とシャーシ１１の間隔は前記商品Ｂ１、Ｂ２の幅寸法に略合致し、それよりも少許大きい（通過可能）値とされている（図４）。
【００４０】
また、下部可動板３３とシャーシ１１の間隔は、主ストッパ１３が最下位の商品Ｂ１の角部に当接してこれを保持できる値とされている（図４）。即ち、商品ラック３下部の商品搬出装置５に対向する位置の商品通路４の面（切換装置１５の面）は、上部よりも下部が後退した段差形状とされている。
【００４１】
次ぎに図４、図５の場合における商品搬出装置５の商品搬出動作を説明する。図４の如く補助ストッパ１２が退避位置にあり、且つ、主ストッパ１３が制止位置にロックされた待機状態では、最下位の商品Ｂ１は主ストッパ１３にて保持されており、且つ、当該商品Ｂ１は直上の商品Ｂ２よりも切換装置１５の下部可動板３３側に偏位している（図４参照）。従って、この状態では直上の商品Ｂ２は最下位商品Ｂ１よりも商品搬出装置５側に位置し、当該商品Ｂ２の下面は商品搬出装置５側において鉛直下方に露出するかたちとなっている。
【００４２】
係る待機状態から、販売指令によりソレノイドが励磁されると、先ず、補助ストッパ１２が退避位置から制止位置に回動される。このとき、前述の如く商品Ｂ２の商品搬出装置５側の下面は偏位寸法の範囲で鉛直下方に露出しているので、補助ストッパ１２は充分に商品通路４側に突出できる（尚、図４は最下位の商品Ｂ１が落下して直上の商品Ｂ２が少許下方に移動した状態を示している）。
【００４３】
その後、主ストッパ１３のロックが解除されて自由に回動可能となり、最下位の商品Ｂ１の重みで主ストッパ１３は制止位置から退避位置に回動される。下から二番目の商品（直上）Ｂ２は、最下位の商品Ｂ１が無くなったことで少許下方に移動し、その状態で補助ストッパ１２に保持される。これによって、商品Ｂ１が一個販売される。
【００４４】
ソレノイドは所定の短期間（１００ｍｓ〜１２０ｍｓ）励磁された後、消磁されるので、補助ストッパ１２は制止位置から退避位置に回動される。これに伴い、前記直上の商品Ｂ２が下方に落下するが、補助ストッパ１２が退避すると同時に、主ストッパ１３が退避位置から制止位置に回動されるので、前記直上の商品Ｂ２は主ストッパ１３に受けとめられる。その後、更にその上の商品は切換装置１５の第一可動板３７の傾斜に沿って下方に落下し、待機状態となるものである。
【００４５】
商品コラム３から落下した商品Ｂ１は下方の商品シュート２７に受け止められ、商品搬出口２８に向かう。このとき搬出扉２９は開放されるので、商品Ｂ１は商品搬出口２８から商品販売口２６に排出されるものである。尚、以上の動作は前記缶飲料などの円柱状の商品Ａ１、Ａ２においても同様に行われるものである。
【００４６】
このように、本発明によれば商品搬出装置５に対向する位置の商品通路４に切換装置１５を設け、この切換装置１５を、上部可動板３２と下部可動板３３から構成し、この下部可動板３３の上下移動により、上部可動板３２が下部可動板３３よりも商品搬出装置５側に突出した状態と、上部可動板３２が下部可動板３３と面一となる状態とに切換自在としたので、下部可動板３３を下方に移動させて上部可動板３２と下部可動板３３を面一とした状態では、商品搬出装置５に対向する壁面を通常の平坦面とし、下部可動板３３を上方に移動させて上部可動板３２を下部可動板３３よりも商品搬出装置５側に突出させた状態では、商品搬出装置５に対向する壁面を、上部よりも下部が後退した段差形状と成すことができる。
【００４７】
そして、係る状態では主ストッパ１３に保持された最下位商品Ｂ１を、直上の商品Ｂ２よりも切換装置１５側に偏位させることができるので、前記直上の商品Ｂ２は最下位商品Ｂ１よりも商品搬出装置５側に位置するかたちとなる。
【００４８】
従って、当該直上の商品Ｂ２下面は、商品搬出装置５側において鉛直下方に露出するかたちとなるので、搬出する商品が角形状のものであっても、補助ストッパ１２は直上の商品Ｂ２下方に突出して保持することができるようになる。これにより、商品が角形状であっても、円柱状であっても、当該商品の形状に拘わらず円滑に一個ずつ搬出し、販売することができるようになる。特に、切換装置１５の下部可動板３３を上下移動させるだけで済むので、操作性も良好となるものである。
【００４９】
また、下部可動板３３が上方に移動された状態を保持する板バネ５４及び可動シャフト５７や突起部７１を設けたので、上部可動板３２が突出した状態を安定的に維持することができるようになり、販売動作をより安定化させることができるようになる。
【００５０】
特に、上部可動板３２を、ベース板３１に上端を回動可能に設けられた第一可動板３７と、この第一可動板３７の下端に回動自在に連結された第二可動板３８とから構成すると共に、下部可動板３３の上部に押圧部６６を設け、下部可動板３３を上方に移動させた状態で押圧部６６により上部可動板３２を裏側から商品搬出装置５方向に押し出し、下方に移動させた状態では、押圧部６６を上部可動板３２の裏側に格納し、その状態で上部可動板３２と下部可動板３３とを面一とするようにしたので、上部可動板３２を突出させた状態では第一可動板３７は上端から徐々に商品搬出装置５側に傾斜することになる。
【００５１】
これにより、商品Ｂ２の下方への移動が円滑になると共に、上部可動板３２は座押部４７に乗り上げた下部可動板３３の押圧部６６により裏側から押し出され、上部可動板３２は押圧部６６により保持されると共に、下部可動板３３も下部シャフト６２に裏側から保持されるので、上方に積載された商品の荷重が上部可動板３２や下部可動板３３に加わっても、支障無く突出した状態を維持することができるようになる。
【００５２】
【発明の効果】
以上詳述した如く本発明によれば、商品通路に突出した制止位置と商品通路から退避した退避位置との間で進退自在とされた補助ストッパ及び主ストッパを上下に配設し、補助ストッパを制止位置としたときに主ストッパは退避位置とし、補助ストッパが退避位置とされたときには主ストッパを制止位置として、商品通路内の最下位の商品を搬出する商品搬出装置を備えた自動販売機において、商品搬出装置に対向する位置の商品通路に切換装置を設け、この切換装置を、上部可動板と下部可動板から構成し、この下部可動板の上下移動により、上部可動板が下部可動板よりも商品搬出装置側に突出した状態と、上部可動板が下部可動板と面一となる状態とに切換自在としたので、下部可動板を下方に移動させて上部可動板と下部可動板を面一とした状態では、商品搬出装置に対向する壁面を通常の平坦面とし、下部可動板を上方に移動させて上部可動板を下部可動板よりも商品搬出装置側に突出させた状態では、商品搬出装置に対向する壁面を、上部よりも下部が後退した段差形状と成すことができる。
【００５３】
そして、係る状態では主ストッパに保持された最下位商品を、直上の商品よりも切換装置側に偏位させることができるので、前記直上の商品は最下位商品よりも商品搬出装置側に位置するかたちとなる。
【００５４】
従って、当該直上の商品下面は、商品搬出装置側において鉛直下方に露出するかたちとなるので、搬出する商品が角形状のものであっても、補助ストッパは直上の商品下方に突出して保持することができるようになる。これにより、商品が角形状であっても、円柱状であっても、当該商品の形状に拘わらず円滑に一個ずつ搬出し、販売することができるようになる。特に、切換装置の下部可動板を上下移動させるだけで済むので、操作性も良好となるものである。
【００５５】
請求項２の発明によれば、上記に加えて下部可動板が上方に移動された状態を保持する保持手段を設けたので、上部可動板が突出した状態を安定的に維持することができるようになり、販売動作をより安定化させることができるようになるものである。
【００５６】
請求項３の発明によれば、上記各発明に加えて上部可動板を、商品通路の壁面に上端を回動可能に設けられた第一可動板と、この第一可動板の下端に回動自在に連結された第二可動板とから構成すると共に、下部可動板の上部に押圧部を設け、下部可動板を上方に移動させた状態で押圧部により上部可動板を裏側から商品搬出装置方向に押し出し、下方に移動させた状態では、押圧部を上部可動板裏側に格納し、その状態で上部可動板と下部可動板とを面一とするようにしたので、上部可動板を突出させた状態では第一可動板は上端から徐々に商品搬出装置側に傾斜することになる。
【００５７】
これにより、商品の下方への移動が円滑になると共に、上部可動板は下部可動板の押圧部により裏側から押し出されるので、その状態で上部可動板は押圧部により保持されることになる。従って、上方に積載された商品の荷重が上部可動板に加わっても、支障無く突出した状態を維持することができるようになるものである。
【図面の簡単な説明】
【図１】本発明の自動販売機の縦断側面図である。
【図２】円柱状の商品を販売する状態の本発明の自動販売機の商品搬出装置部分の拡大側面図である。
【図３】図２の状態の切換装置の正面図である。
【図４】角形状の商品を販売する状態の本発明の自動販売機の商品搬出装置部分の拡大側面図である。
【図５】図４の状態の切換装置の正面図である。
【図６】従来の自動販売機の商品搬出装置部分の拡大側面図である。
【図７】図６の自動販売機により缶飲料商品を搬出する動作を説明する商品搬出装置部分の拡大側面図である。
【図８】同じく図６の自動販売機により缶飲料商品を搬出する動作を説明する商品搬出装置部分の拡大側面図である。
【図９】同じく図６の自動販売機により缶飲料商品を搬出する動作を説明する商品搬出装置部分の拡大側面図である。
【図１０】図６の自動販売機により角ボトル商品を搬出する動作を説明する商品搬出装置部分の拡大側面図である。
【図１１】図１０の自動販売機にスペーサを取り付けた状態の商品搬出装置部分の拡大側面図である。
【符号の説明】
１  商品ラック
４  商品通路
５  商品搬出装置
１２  補助ストッパ
１３  主ストッパ
１５  切換装置
３１  ベース板
３２  上部可動板
３３  下部可動板
３７  第一可動板
３８  第二可動板
４７、５１、６８  座押部
５２  板バネ
６２  下部シャフト
７１  突起部
Ｂ１、Ｂ２  角ボトル商品
【図１】
0003632415.tif 000002
【図２】
0003632415.tif 000003
【図３】
0003632415.tif 000004
【図４】
0003632415.tif 000005
【図５】
0003632415.tif 000006
【図６】
0003632415.tif 000007
【図７】
0003632415.tif 000008
【図８】
0003632415.tif 000009
【図９】
0003632415.tif 000010
【図１０】
0003632415.tif 000011
【図１１】
0003632415.tif 000012